(57)【要約】【課題】マニュアル操作によってピントが変えられていることをユーザが把握し難い。【解決手段】撮影装置を、撮影領域内に写る被写体の合焦状態を複数のエリアを対象に検出する合焦状態検出手段と、合焦状態検出手段による検出結果に基づいて合焦状態に関する情報を被写体に重ねて所定の表示部に表示する表示制御手段と、ユーザによる所定のマニュアル操作に応じて撮影光学系のピントを変えることが可能なマニュアルフォーカス手段とを備えた構成とする。表示制御手段は、マニュアル操作により撮影光学系のピントが変えられると、ピントが変えられる前において高い合焦度合いを持つエリアについて、合焦に関する情報を、ピントが変えられた後の合焦度合いに拘わらず、ピントが変えられる前に対して区別可能に表示する。【選択図】図２
2016180804.tif 000002
【特許請求の範囲】
【請求項１】
撮影領域内に写る被写体の合焦状態を複数のエリアを対象に検出する合焦状態検出手段と、
前記合焦状態検出手段による検出結果に基づいて合焦状態に関する情報を前記被写体に重ねて所定の表示部に表示する表示制御手段と、
ユーザによる所定のマニュアル操作に応じて撮影光学系のピントを変えることが可能なマニュアルフォーカス手段と、
を備え、
前記表示制御手段は、
前記マニュアル操作により前記撮影光学系のピントが変えられると、ピントが変えられる前において高い合焦度合いを持つエリアについて、前記合焦に関する情報を、ピントが変えられた後の合焦度合いに拘わらず、ピントが変えられる前に対して区別可能に表示する、
撮影装置。
【請求項２】
前記合焦状態検出手段による検出結果に基づいて前記撮影光学系を駆動制御することにより、前記被写体に自動的にピントを合わせるオートフォーカス手段
を備え、
前記表示制御手段は、
前記オートフォーカス手段により前記被写体にピントが合わせられると、ピントが合わせられた被写体のエリアに前記合焦に関する情報を表示し、
前記オートフォーカス手段により合わせられたピントが前記マニュアル操作によって変えられると、変えられた後のピントに応じて前記合焦状態に関する情報の表示を更新する、
請求項１に記載の撮影装置。
【請求項３】
前記表示制御手段は、
前記オートフォーカス手段により２以上のエリアでピントが合わせられると、該２以上のエリアを合焦の候補エリアとして表示すると共に、その中で合焦度合いが最も高い候補エリアを他の候補エリアに対して区別可能に表示し、
前記オートフォーカス手段により合わせられたピントが前記マニュアル操作によって変えられると、前記２以上の候補エリアのうち、ピントが変えられた後で合焦度合いが最も高い候補エリアを他の候補エリアに対して区別可能に表示する、
請求項２に記載の撮影装置。
【請求項４】
前記表示制御手段は、
前記オートフォーカス手段による前記被写体へのピント合わせ時に前記合焦状態に関する情報を表示した後、該情報の表示を消去し、
その後、前記マニュアル操作が行われると、前記オートフォーカス手段による最後のピント合わせ時に表示されていた前記合焦状態に関する情報を再度表示する、
請求項２又は請求項３の何れか一項に記載の撮影装置。
【請求項５】
前記オートフォーカス手段は、
ユーザによる所定のオートフォーカス操作が行われると、前記撮影光学系を駆動制御することにより、前記被写体に自動的にピントを合わせ、
前記表示制御手段は、
前記オートフォーカス操作の実行に応じて前記合焦状態に関する情報の表示を行う、
請求項４に記載の撮影装置。
【請求項６】
前記表示制御手段は、
前記オートフォーカス操作の開始時点又は終了時点から前記合焦状態に関する情報を表示し、該表示が行われてから第一の時間が経過したときに該表示を消去し、前記マニュアル操作の該時点から該合焦状態に関する情報を表示し、該表示が行われてから該第一の時間よりも長い第二の時間が経過したときに該表示を消去する、
請求項５に記載の撮影装置。
【請求項７】
前記表示制御手段は、
前記オートフォーカス操作が行われた時と前記マニュアル操作が行われた時とで、前記合焦状態に関する情報をそれぞれ異なる方法で表示する、
請求項５又は請求項６に記載の撮影装置。
【請求項８】
前記表示制御手段は、
前記合焦状態に関する情報として、対象のエリアに対し、該エリアを示す枠の色、枠の線幅、枠の線種、該エリアの色相、彩度、色度、明度、該エリア内にオーバレイ表示させる文字列、パターン、図形、の１つ又は２以上を組み合わせた形態のものを表示し、
前記対象のエリアの表示の形態は、
前記オートフォーカス操作が行われた時と前記マニュアル操作が行われた時とでそれぞれ異なる、
請求項７に記載の撮影装置。
【請求項９】
所定の起点以降に前記オートフォーカス手段による前記被写体へのピント合わせが行われた場合に、合焦度合いの高いエリアの情報を保持する保持手段
を備え、
前記表示制御手段は、
前記マニュアル操作が行われると、前記保持手段を参照し、
前記所定の起点以降に前記オートフォーカス手段による前記被写体へのピント合わせが行われている場合には、該オートフォーカス手段による最後のピント合わせ時に合焦度合いの高かったエリアに前記合焦状態に関する情報を表示した後、前記マニュアル操作によって変えられた後のピントに応じて該合焦状態に関する情報の表示を更新し、
前記所定の起点以降に前記オートフォーカス手段による前記被写体へのピント合わせが行われていない場合には、全てのエリアを対象として、合焦度合いの高いエリアに対する、前記合焦状態に関する情報の表示を行う、
請求項２から請求項８の何れか一項に記載の撮影装置。
【請求項１０】
撮影領域内に写る被写体の合焦状態を複数のエリアを対象に検出するステップと、
前記検出の結果に基づいて合焦状態に関する情報を前記被写体に重ねて所定の表示部に表示するステップと、
ユーザによる所定のマニュアル操作に応じて撮影光学系のピントを変えるステップと、
前記マニュアル操作により前記撮影光学系のピントが変えられると、ピントが変えられる前において高い合焦度合いを持つエリアについて、前記合焦に関する情報を、ピントが変えられた後の合焦度合いに拘わらず、ピントが変えられる前に対して区別可能に表示するステップと、
を含む、
合焦情報表示制御方法。
【発明の詳細な説明】
【技術分野】
【０００１】
本発明は、撮影装置及び合焦情報表示制御方法に関する。
【背景技術】
【０００２】
合焦状態を示す情報を表示部に表示させることが可能な撮影装置が知られている。例えば特許文献１に、この種の撮影装置の具体的構成が記載されている。
【０００３】
特許文献１に記載の撮影装置は、オートフォーカスによりピント調整された画像について、所定の各確認域に写る被写体のフォーカス率（合焦度合いを示す値）を取得し、フォーカス率が基準値以上となる確認域に対してフォーカス枠及びフォーカス率を表示することにより、撮影領域内のどの部分の被写体にどの程度ピントが合わせられたかをユーザに知らせることが可能となっている。
【先行技術文献】
【特許文献】
【０００４】
【特許文献１】特開２００９−８８７２２号公報
【発明の概要】
【発明が解決しようとする課題】
【０００５】
特許文献１に記載の撮影装置をはじめとする一部の撮影装置では、オートフォーカスだけでなくマニュアル操作によってもピントを調整することができる。そこで、例えば特許文献１に記載の撮影装置において、オートフォーカス後にマニュアル操作によってピント調整が行われた場合を考える。この場合、オートフォーカスの結果に従い、フォーカス率が基準値以上の確認域に対してフォーカス枠及びフォーカス率が撮影装置の表示画面に表示される。しかし、その後、マニュアル操作によってピントが変えられても、その旨を知らせる情報が表示画面に表示されない。そのため、オートフォーカス時からマニュアル操作によってピントが変えられていることをユーザが把握し難いという問題が指摘される。
【課題を解決するための手段】
【０００６】
そこで、本発明の一実施形態に係る撮影装置は、撮影領域内に写る被写体の合焦状態を複数のエリアを対象に検出する合焦状態検出手段と、合焦状態検出手段による検出結果に基づいて合焦状態に関する情報を被写体に重ねて所定の表示部に表示する表示制御手段と、ユーザによる所定のマニュアル操作に応じて撮影光学系のピントを変えることが可能なマニュアルフォーカス手段とを備えた構成とする。表示制御手段は、マニュアル操作により撮影光学系のピントが変えられると、ピントが変えられる前において高い合焦度合いを持つエリアについて、合焦に関する情報を、ピントが変えられた後の合焦度合いに拘わらず、ピントが変えられる前に対して区別可能に表示する。
【０００７】
また、本発明の一実施形態に係る撮影装置は、合焦状態検出手段による検出結果に基づいて撮影光学系を駆動制御することにより、被写体に自動的にピントを合わせるオートフォーカス手段を備える構成としてもよい。この場合、表示制御手段は、オートフォーカス手段により被写体にピントが合わせられると、ピントが合わせられた被写体のエリアに合焦に関する情報を表示し、オートフォーカス手段により合わせられたピントがマニュアル操作によって変えられると、変えられた後のピントに応じて合焦状態に関する情報の表示を更新する構成としてもよい。
【０００８】
また、本発明の一実施形態において、表示制御手段は、オートフォーカス手段により２以上のエリアでピントが合わせられると、該２以上のエリアを合焦の候補エリアとして表示すると共に、その中で合焦度合いが最も高い候補エリアを他の候補エリアに対して区別可能に表示し、オートフォーカス手段により合わせられたピントがマニュアル操作によって変えられると、２以上の候補エリアのうち、ピントが変えられた後で合焦度合いが最も高い候補エリアを他の候補エリアに対して区別可能に表示する構成としてもよい。
【０００９】
また、本発明の一実施形態において、表示制御手段は、オートフォーカス手段による被写体へのピント合わせ時に合焦状態に関する情報を表示した後、該情報の表示を消去し、その後、マニュアル操作が行われると、オートフォーカス手段による最後のピント合わせ時に表示されていた合焦状態に関する情報を再度表示する構成としてもよい。
【００１０】
また、本発明の一実施形態において、オートフォーカス手段は、ユーザによる所定のオートフォーカス操作が行われると、撮影光学系を駆動制御することにより、被写体に自動的にピントを合わせる構成としてもよい。また、表示制御手段は、オートフォーカス操作の実行に応じて合焦状態に関する情報の表示を行う構成としてもよい。
【００１１】
また、本発明の一実施形態において、表示制御手段は、オートフォーカス操作の開始時点又は終了時点から合焦状態に関する情報を表示し、該表示が行われてから第一の時間が経過したときに該表示を消去し、マニュアル操作の該時点から該合焦状態に関する情報を表示し、該表示が行われてから該第一の時間よりも長い第二の時間が経過したときに該表示を消去する構成としてもよい。
【００１２】
また、本発明の一実施形態において、表示制御手段は、オートフォーカス操作が行われた時とマニュアル操作が行われた時とで、合焦状態に関する情報をそれぞれ異なる方法で表示する構成としてもよい。
【００１３】
また、本発明の一実施形態において、表示制御手段は、合焦状態に関する情報として、対象のエリアに対し、該エリアを示す枠の色、枠の線幅、枠の線種、該エリアの色相、彩度、色度、明度、該エリア内にオーバレイ表示させる文字列、パターン、図形、の１つ又は２以上を組み合わせた形態のものを表示してもよい。この場合において、対象のエリアの表示の形態は、オートフォーカス操作が行われた時とマニュアル操作が行われた時とでそれぞれ異なるものであってもよい。
【００１４】
また、本発明の一実施形態に係る撮影装置は、所定の起点以降にオートフォーカス手段による被写体へのピント合わせが行われた場合に、合焦度合いの高いエリアの情報を保持する保持手段を備える構成としてもよい。この場合において、表示制御手段は、マニュアル操作が行われると、保持手段を参照し、所定の起点以降にオートフォーカス手段による被写体へのピント合わせが行われている場合には、該オートフォーカス手段による最後のピント合わせ時に合焦度合いの高かったエリアに合焦状態に関する情報を表示した後、マニュアル操作によって変えられた後のピントに応じて該合焦状態に関する情報の表示を更新し、所定の起点以降にオートフォーカス手段による被写体へのピント合わせが行われていない場合には、全てのエリアを対象として、合焦度合いの高いエリアに対する、合焦状態に関する情報の表示を行う構成としてもよい。
【００１５】
また、本発明の一実施形態に係る合焦情報表示制御方法は、撮影領域内に写る被写体の合焦状態を複数のエリアを対象に検出するステップと、検出の結果に基づいて合焦状態に関する情報を被写体に重ねて所定の表示部に表示するステップと、ユーザによる所定のマニュアル操作に応じて撮影光学系のピントを変えるステップと、マニュアル操作により撮影光学系のピントが変えられると、ピントが変えられる前において高い合焦度合いを持つエリアについて、合焦に関する情報を、ピントが変えられた後の合焦度合いに拘わらず、ピントが変えられる前に対して区別可能に表示するステップとを含む。
【発明の効果】
【００１６】
本発明の一実施形態によれば、マニュアル操作によってピントが変えられていることをユーザに把握させるのに好適な撮影装置及び合焦情報表示制御方法が提供される。
【図面の簡単な説明】
【００１７】
【図１】本発明の一実施形態に係る撮影装置の構成を示すブロック図である。
【図２】本発明の一実施形態において撮影装置に備えられるシステムコントローラにより実行される合焦情報表示処理のフローチャートを示す図である。
【図３】本発明の一実施形態に係る撮影装置に備えられるＬＣＤの表示画面に表示される合焦エリア枠の更新例を説明するための図である。
【図４】本発明の一実施形態に係る撮影装置に備えられるＬＣＤの表示画面に表示される合焦エリア枠の更新例を説明するための図である。
【図５】本発明の別の一実施形態に係る撮影装置に備えられる光学ファインダに表示される測距点の制御例を説明するための図である。
【発明を実施するための形態】
【００１８】
以下、本発明の一実施形態に係る撮影装置について図面を参照しながら説明する。以下においては、本発明の一実施形態として、デジタル一眼レフカメラについて説明する。なお、撮影装置は、デジタル一眼レフカメラに限らず、例えば、ミラーレス一眼カメラ、コンパクトデジタルカメラ、ビデオカメラ、カムコーダ、タブレット端末、ＰＨＳ（Personal Handy phone System）、スマートフォン、フィーチャフォン、携帯ゲーム機など、撮影機能を有する別の形態の装置に置き換えてもよい。
【００１９】
［撮影装置１の構成］
図１は、本実施形態の撮影装置１の構成を示すブロック図である。図１に示されるように、撮影装置１は、システムコントローラ１００、操作部１０２、駆動回路１０４、撮影レンズ１０６、絞り１０８、シャッタ１１０、固体撮像素子１１２、信号処理回路１１４、画像処理エンジン１１６、バッファメモリ１１８、カード用インタフェース１２０、ＬＣＤ（Liquid Crystal Display）制御回路１２２、ＬＣＤ１２４及びＲＯＭ（Read Only Memory）１２６を備えている。なお、撮影レンズ１０６は複数枚構成であるが、図１においては便宜上一枚のレンズとして示す。
【００２０】
操作部１０２には、電源スイッチやレリーズスイッチ、撮影モードスイッチなど、ユーザが撮影装置１を操作するために必要な各種スイッチが含まれる。ユーザにより電源スイッチが操作されると、図示省略されたバッテリから撮影装置１の各種回路に電源ラインを通じて電源供給が行われる。
【００２１】
システムコントローラ１００は、ＣＰＵ（Central Processing Unit）及びＤＳＰ（Digital Signal Processor）を含む。システムコントローラ１００は電源供給後、ＲＯＭ１２６にアクセスして制御プログラムを読み出してワークエリア（不図示）にロードし、ロードされた制御プログラムを実行することにより、撮影装置１全体の制御を行う。
【００２２】
レリーズスイッチが操作されると、システムコントローラ１００は、例えば、固体撮像素子１１２により撮像された画像に基づいて計算された測光値や、撮影装置１に内蔵された露出計（不図示）で測定された測光値に基づき適正露出が得られるように、駆動回路１０４を介して絞り１０８及びシャッタ１１０を駆動制御する。より詳細には、絞り１０８及びシャッタ１１０の駆動制御は、プログラムＡＥ（Automatic Exposure）、シャッタ優先ＡＥ、絞り優先ＡＥなど、撮影モードスイッチにより指定されるＡＥ機能に基づいて行われる。また、システムコントローラ１００はＡＥ制御と併せてＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。システムコントローラ１００は、ＡＦ結果に基づいて駆動回路１０４を介して撮影レンズ１０６を駆動制御し、撮影レンズ１０６の焦点を調整する。なお、この種のＡＥ及びＡＦの構成及び制御については周知であるため、ここでの詳細な説明は省略する。
【００２３】
被写体からの光束は、撮影レンズ１０６、絞り１０８、シャッタ１１０を通過して固体撮像素子１１２の受光面にて受光される。固体撮像素子１１２は、ベイヤ型画素配置を有する単板式カラーＣＣＤ（Charge Coupled Device）イメージセンサである。固体撮像素子１１２は、受光面上の各画素で結像した光学像を光量に応じた電荷として蓄積して、Ｒ（Red）、Ｇ（Green）、Ｂ（Blue）の画像信号を生成して出力する。なお、固体撮像素子１１２は、ＣＣＤイメージセンサに限らず、ＣＭＯＳ（Complementary Metal Oxide Semiconductor）イメージセンサやその他の種類の撮像装置に置き換えられてもよい。固体撮像素子１１２はまた、補色系フィルタを搭載したものであってもよい。
【００２４】
信号処理回路１１４は、固体撮像素子１１２より入力される画像信号に対してクランプ、デモザイク等の所定の信号処理を施して、画像処理エンジン１１６に出力する。画像処理エンジン１１６は、信号処理回路１１４より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像の保存形式は、ＪＰＥＧ形式に限らず、最小限の画像処理（例えば黒レベルの補正等）しか施されないＲＡＷ形式であってもよい。
【００２５】
カード用インタフェース１２０のカードスロットには、メモリカード２００が着脱可能に差し込まれている。
【００２６】
画像処理エンジン１１６は、カード用インタフェース１２０を介してメモリカード２００と通信可能である。画像処理エンジン１１６は、生成された圧縮画像信号（撮影画像データ）をメモリカード２００（又は撮影装置１に備えられる不図示の内蔵メモリ）に保存する。
【００２７】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。ユーザは、ＡＥ制御及びＡＦ制御に基づいて適正な露出及びピントで撮影されたリアルタイムのスルー画（ライブビュー）を、ＬＣＤ１２４の表示画面を通じて視認することができる。
【００２８】
画像処理エンジン１１６は、ユーザにより撮影画像の再生操作が行われると、操作により指定された撮影画像データをメモリカード２００又は内蔵メモリより読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、被写体の撮影画像がＬＣＤ１２４の表示画面に表示される。
【００２９】
［合焦情報表示処理］
図２は、本発明の一実施形態においてシステムコントローラ２０２により実行される合焦情報表示処理のフローチャートを示す。図２の合焦情報表示処理は、例えば、ＡＦ操作（レリーズスイッチの半押しやＡＦボタンの押下）が行われた時点で開始される。
【００３０】
［図２のＳ１１（合焦エリア枠の表示）］
ＡＦ操作が行われることにより、撮影領域内に写る被写体の合焦状態を複数のエリアを対象に検出するＡＦモード下で撮影レンズ１０６が駆動制御され、少なくとも１つのエリアの被写体にピントが合わせられる。なお、本明細書において、ピントの合う被写体（エリア）は、被写界深度内の被写体（エリア）、合焦度合いの高い被写体（エリア）と言い換えてもよい。
【００３１】
本処理ステップＳ１１では、ＬＣＤ１２４の表示画面に表示されるスルー画であって、ＡＦモード下でピントが合わせられた少なくとも１つのエリア（以下、「ＡＦ合焦エリア」と記す。）に、合焦エリア枠が重ねて表示される。本処理ステップＳ１１では、合焦エリア枠は、ＡＦによって合焦されたことを示す色（例えば緑色）で表示される。
【００３２】
合焦エリア枠は、２以上あるか否か（言い換えると、合焦の候補エリアが２以上あるか否か）に拘わらず、全ての候補エリアにおいて緑色で表示されてもよいが、合焦度合いが最も高い候補エリアが他の候補エリアに対して区別可能に表示されてもよい。例示的には、２以上の候補エリアの中で合焦度合いが最も高い候補エリアの合焦エリア枠が緑色で表示され、それ以外の候補エリアの合焦エリア枠が黄色で表示される。
【００３３】
［図２のＳ１２（ＡＦ合焦エリアの保持）］
本処理ステップＳ１２では、ＡＦ合焦エリアの情報がバッファメモリ１１８等の所定の記憶領域に保持される。なお、ここで保持されたＡＦ合焦エリアの情報は、撮影装置１の電源がオフされた時点で消える。言い換えると、所定の記憶領域には、電源オン以降に取得されたＡＦ合焦エリアの情報が保持され、それ以前に取得されたＡＦ合焦エリアの情報は保持されない。
【００３４】
［図２のＳ１３（ＡＦ操作の判定）］
本処理ステップＳ１３では、ＡＦ操作が継続しているか否かが判定される。ＡＦ操作が継続していない（ＡＦ操作が終了された）と判定された場合（Ｓ１３：ＮＯ）、図２の合焦情報表示処理は終了する。この場合、合焦エリア枠は、合焦状態の検出処理の実行が停止したことをユーザに報知するため、例えば、赤色で変更されたり、非表示にされたりする。
【００３５】
［図２のＳ１４（ピントリング操作の判定）］
本処理ステップＳ１４は、処理ステップＳ１３（ＡＦ操作の判定）にてＡＦ操作が継続している（ＡＦ操作中である）と判定された場合（Ｓ１３：ＹＥＳ）に実行される。本処理ステップＳ１４では、撮影レンズ１０６の鏡筒周りに設けられたピントリングが操作されたか否かが判定される。本処理ステップＳ１４においてピントリングが操作されていないと判定された場合（Ｓ１４：ＮＯ）、図２の合焦情報表示処理は、処理ステップＳ１３（ＡＦ操作の判定）に戻る。
【００３６】
［図２のＳ１５（ＡＦ合焦エリアの合焦状態の判定）］
本処理ステップＳ１５は、処理ステップＳ１４（ピントリング操作の判定）にてピントリングが操作されたと判定された場合（Ｓ１４：ＹＥＳ）に実行される。本処理ステップＳ１５では、ピントリング操作によってピントが変えられた状態で、処理ステップＳ１２（ＡＦ合焦エリアの保持）にて保持された各ＡＦ合焦エリアが合焦状態にあるか否か（未だピントが合った状態（被写界深度内）であるか否か）が判定される。
【００３７】
［図２のＳ１６（ピントリング操作の初回判定）］
本処理ステップＳ１６は、処理ステップＳ１５（ＡＦ合焦エリアの合焦状態の判定）にて各ＡＦ合焦エリアが合焦状態にあると判定された場合（Ｓ１５：ＹＥＳ）に実行される。本処理ステップＳ１６では、ピントリング操作が図２の合焦情報表示処理の実行開始後に初めて行われたピントリング操作であるか否かが判定される。かかる判定処理は、所定のフラグ（図２の合焦情報表示処理の実行開始時又は開始前にリセットされるフラグ）を用いて行われる。本処理ステップＳ１６においてピントリング操作が図２の合焦情報表示処理の実行開始後に初めて行われたピントリング操作ではないと判定された場合（Ｓ１６：ＮＯ）、図２の合焦情報表示処理は、処理ステップＳ１３（ＡＦ操作の判定）に戻る。
【００３８】
［図２のＳ１７（合焦エリア枠の表示の更新）］
本処理ステップＳ１７は、処理ステップＳ１６（ピントリング操作の初回判定）にてピントリング操作が図２の合焦情報表示処理の実行開始後に初めて行われたピントリング操作であると判定された場合（Ｓ１６：ＹＥＳ）に実行される。本処理ステップＳ１７では、各ＡＦ合焦エリアにおいて未だピントが合った状態ではあるものの、ＡＦ合焦時からマニュアル操作（ピントリング操作）によりピントが変えられた状態であることをユーザに報知するため、合焦エリア枠の表示が更新される。本処理ステップＳ１７の実行後、図２の合焦情報表示処理は、処理ステップＳ１３（ＡＦ操作の判定）に戻る。
【００３９】
ここで、本処理ステップＳ１７による合焦エリア枠の表示更新例（表示更新例１、２）を説明する。
【００４０】
・表示更新例１
図３は、合焦エリア枠の表示更新例１を説明するための図である。図３の例では、合焦エリア枠が１つである。処理ステップＳ１１（合焦エリア枠の表示）の実行により緑色に表示されていた合焦エリア枠Ｆ１は、本処理ステップＳ１７の実行により黄緑色に変更される。これにより、ユーザは、合焦エリア枠Ｆ１が示すＡＦ合焦エリアにおいて未だピントが合った状態ではあるものの、ＡＦ合焦時からマニュアル操作によりピントが変えられた状態であることを把握することができる。
【００４１】
・表示更新例２
図４は、合焦エリア枠の表示更新例２を示す図である。図４の例では、合焦エリア枠が２つである。図４の例では、処理ステップＳ１１（合焦エリア枠の表示）が実行されることにより、合焦度合いが最も高い候補エリアの合焦エリア枠Ｆ２が緑色に表示されると共に、それ以外の候補エリアの合焦エリア枠Ｆ３が黄色で表示される。そして、マニュアル操作によってピントが変えられることにより、合焦エリア枠Ｆ３の候補エリアが合焦エリア枠Ｆ２の候補エリアよりも合焦度合いが高くなる。従って、本処理ステップＳ１７が実行されることにより、合焦度合いが最も高い候補エリアの合焦エリア枠Ｆ３が黄色から緑色に変更されると共に、それ以外の候補エリアの合焦エリア枠Ｆ２が緑色から黄色に変更される。これにより、ユーザは、合焦エリア枠Ｆ２、Ｆ３が示す２つのＡＦ合焦エリアにおいて未だピントが合った状態ではあるものの、ＡＦ合焦時からマニュアル操作によりピントが変えられたことにより、合焦度合いが最も高い候補エリアが変わったことを視認することができる。表示更新例２は、ユーザが複数の候補エリアの中から最もピントを合わせたいエリアをマニュアル操作で変更したい場合に有効である。
【００４２】
［図２のＳ１８（合焦エリア枠の表示の更新）］
本処理ステップＳ１８は、処理ステップＳ１５（ＡＦ合焦エリアの合焦状態の判定）にてＡＦ合焦エリアが合焦状態にない（ＡＦ合焦エリアが複数ある場合には、その中で合焦状態にないものが含まれる）と判定された場合（Ｓ１５：ＮＯ）に実行される。本処理ステップＳ１８では、ＡＦ合焦時からマニュアル操作によって変えられたピントに応じて合焦エリア枠の表示が更新される。例えば、マニュアル操作後もピントが合っているＡＦ合焦エリアの合焦エリア枠は、黄緑色に変更され、マニュアル操作後にピントが合わなくなったＡＦ合焦エリアの合焦エリア枠は、赤色に変更されたり、非表示にされたりする。
【００４３】
ここで、本処理ステップＳ１８による合焦エリア枠の表示更新例（表示更新例３、４）を説明する。
【００４４】
・表示更新例３
表示更新例３については、図３を援用して説明する。表示更新例３では、合焦エリア枠Ｆ１は、本処理ステップＳ１８の実行により緑色から赤色に変更（又は非表示に）される。これにより、ユーザは、マニュアル操作により、合焦エリア枠Ｆ１が示すＡＦ合焦エリアでピントが合わなくなったことを把握することができる。
【００４５】
・表示更新例４
表示更新例４については、図４を援用して説明する。表示更新例４においても表示更新例２と同じく、処理ステップＳ１１（合焦エリア枠の表示）が実行されることにより、合焦度合いが最も高い候補エリアの合焦エリア枠Ｆ２が緑色に表示されると共に、それ以外の候補エリアの合焦エリア枠Ｆ３が黄色で表示される。表示更新例４では、マニュアル操作によってピントが変えられることにより、合焦エリア枠Ｆ２の候補エリアでピントが合わなくなる。従って、本処理ステップＳ１８が実行されることにより、合焦度合いが（最も）高い候補エリアの合焦エリア枠Ｆ３が黄色から緑色に変更されると共に、ピントが合わなくなった候補エリアの合焦エリア枠Ｆ２が緑色から赤色に変更（又は非表示に）される。これにより、ユーザは、マニュアル操作を行った結果、ＡＦ合焦エリアでのピントがどのように変化したかを把握することができる。
【００４６】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【００４７】
上記の実施形態では、ＬＣＤ１２４の表示画面に表示される合焦エリア枠の表示が制御されているが、本発明はこれに限らない。別の実施形態では、撮影装置１に備えられる光学ファインダ内の測距点の表示が制御されてもよい。図５に、光学ファインダ内の測距点の表示制御例を示す。図５に例示されるように、ＡＦ操作が行われると、ピントが合わせられたエリア（測距点）がＬＥＤ（Light Emitting Diode）等により点灯表示されて、光学ファインダ内に写る被写体に重ねて表示される。合焦の候補となる測距点のうち、合焦度合いの最も高い測距点は赤色で点灯表示され、それ以外の測距点は緑色で点灯表示される。次いで、マニュアル操作によってピントが変えられることによって合焦度合いの最も高い測距点が別の測距点に変わると、それに応じて測距点の発光色が変更される。
【００４８】
また、上記の実施形態では、ピントが合わせられてからＡＦ操作が止められるまで、ＡＦ合焦エリアに対して緑色の合焦エリア枠が表示されるが、本発明はこれに限らない。別の実施形態では、所定の時点（ＡＦ操作の開始時点や終了時点）から合焦状態に関する何らかの情報が表示され、その後、ピントが合わせられると、ＡＦ合焦エリアに対して緑色の合焦エリア枠が表示されるようにしてもよい。この場合、緑色の合焦エリア枠は、ＡＦ操作が止められるまで表示されてもよく、また、所定の時点（ＡＦ操作の開始時点や終了時点）から第一の時間が経過した時点で消去されるようにしてもよい。
【００４９】
その後、マニュアル操作が行われると、所定の時点（マニュアル操作の開始時点や終了時点）から、最後のＡＦ合焦時に表示されていた合焦エリア枠が再度表示されてもよい。この場合、合焦エリア枠は、ＡＦ合焦時からマニュアル操作によりピントが変えられたことによって表示が更新され、所定の時点（マニュアル操作の開始時点や終了時点）から第一の時間も長い第二の時間が経過した時点で消去されるようにしてもよい。
【００５０】
説明を補足すると、マニュアル操作によるピント調整は、ユーザによって手動で行われることから、ＡＦ操作によるピントの自動調整よりも時間が掛かることがある。そこで、合焦エリア枠は、マニュアル操作途中に表示が消去することを防ぎつつ不要な表示の継続による電力消費（例えば、測距点（ＬＥＤ）の不要な点灯による電力消費）を抑えるため、マニュアル操作時には、ＡＦ操作時における第一の時間よりも長い第二の時間、表示が継続される。
【００５１】
また、上記の実施形態では、合焦状態に関する情報（上記の実施形態では合焦エリア枠）がＡＦ操作時とマニュアル操作時とでそれぞれ異なる方法で表示されている。具体的には、ＡＦ操作時には、ピントが合わせられると合焦エリア枠が表示されるが、マニュアル操作時には、操作が行われた時点で（すなわち、最初の段階で）ＡＦ合焦時の合焦エリア枠が表示される。これにより、ユーザは、ＡＦ操作に応じたピントの自動調整が行われるか、マニュアル操作に応じたピントの手動調整が行われるかを、視覚的に把握することができる。
【００５２】
また、上記の実施形態では、合焦のステータスが合焦エリア枠の色で区別可能となっているが、本発明はこれに限らない。合焦エリア枠の色に代えて、例えば、合焦エリア枠の線幅、線種、ＡＦ合焦エリアの色相、彩度、色度、明度、合焦エリア枠にオーバレイ表示させる文字列、パターン、図面、の１つ又は２以上を組み合わせた形態のものを表示させることにより、合焦のステータスを区別できるようにしてもよい。ＡＦ操作時とマニュアル操作時とで全く異なる形態のものを表示することにより、ＡＦ操作に応じたピントの自動調整が行われるか、マニュアル操作に応じたピントの手動調整が行われるかを、ユーザに明確に把握させることが可能となる。
【００５３】
また、上記の実施形態では、ＬＣＤ１２４の表示画面や光学ファインダの表示を制御することによって合焦のステータスをユーザに報知しているが、本発明はこれに限らない。例えば、所定の音を再生することによって合焦のステータスをユーザに報知することが考えられる。この場合、報知すべきステータスに応じて再生音の大きさや再生音の種類が変更される。
【００５４】
また、上記の実施形態では、所定の起点以降（電源オン以降）にＡＦ操作が行われた後にマニュアル操作が行われる場合を説明したが、所定の起点以降（電源オン以降）にＡＦ操作が行われることなくマニュアル操作が行われる場合もあり得る。この場合、撮影領域内の全てのエリアを対象として合焦状態の検出が行われ、ピントが合わせられたエリアに合焦エリア枠が表示される。ユーザは、撮影画像を目視で確認しながらピント調整を行う従来のマニュアル操作と比べて、ピントがどのエリアに合っているかを容易に把握することができる。
【符号の説明】
【００５５】
１  撮影装置
１００  システムコントローラ
１０２  操作部
１０４  駆動回路
１０６  撮影レンズ
１０８  絞り
１１０  シャッタ
１１２  固体撮像素子
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
２００  メモリカード
【図１】
2016180804.tif 000003
【図２】
2016180804.tif 000004
【図３】
2016180804.tif 000005
【図４】
2016180804.tif 000006
【図５】
2016180804.tif 000007